(57)【要約】【課題】  石鹸の熟成過程で発生される有害な物質が自然揮発されるようにし、包装容器に包装された石鹸が呼吸できるようにして石鹸の熟成を促進し、石鹸の変質を防止して保存期間を延長できるようにする石鹸包装容器を提供する。【解決手段】  竹筒の上／下に隔壁が存在するように截取する截取工程と；截取工程によって得られた竹筒を洗浄する洗浄工程と；洗浄された竹筒の隔壁に注入口を穿孔する注入口穿孔工程と；注入口が穿孔された竹筒内にお湯１リットル当たり天日塩700mg を希釈した塩水を注入した上で蒸気で50分間加熱して殺菌する殺菌工程と；殺菌された竹筒を常温で三日から五日間乾燥する乾燥工程と；乾燥された竹筒の外周縁を上下に紐で結んで固定させる設置工程と；乾燥された竹筒の注入口にフランジーを挿入設置させるフランジー設置工程と；フランジーに蓋を挿入させて竹筒を閉塞させる蓋設置工程とを行うもの。【選択図】      図１
2014054510.tif 000002
【特許請求の範囲】
【請求項１】
竹筒の上／下に隔壁が存在するように竹筒を截取する截取工程と；
上記截取工程によって得られた竹筒を洗浄する洗浄工程と；
洗浄された竹筒の隔壁に注入口を穿孔する注入口穿孔工程と；
注入口が穿孔された竹筒内にお湯１リットル当たり天日塩７００ｍｇを希釈した塩水を注入した上で蒸気で５０分間加熱して殺菌する殺菌工程と；
殺菌された竹筒を常温で三日から五日間乾燥する乾燥工程と；
乾燥された竹筒の外周縁を上下に紐で結んで固定させる設置工程と；
乾燥された竹筒の注入口にフランジーを挿入設置させるフランジー設置工程と；
フランジーに蓋を挿入させて竹筒を閉塞させる蓋設置工程とを行うことを特徴とする石鹸包装容器の制作方法。
【請求項２】
上／下部に隔壁（１０）が存在するように竹筒（１）の上部隔壁（１０）に注入口（１２）を形成させて、上記注入口（１２）の内周縁に注入口（１２）のクラックを防止するフランジー（２）を挿入設置させ、
上記フランジー（２）に蓋（３）を設置して、竹筒（１）の外周縁上下段部に補強用紐（１５）を回して設置して構成される事を特徴にする石鹸包装容器。
【発明の詳細な説明】
【技術分野】
【０００１】
本発明は、石鹸を包装して保管する石鹸包装容器の製作方法と石鹸を入れて包装する石鹸包装容器に関し、より詳しくは石鹸の包装容器の製作方法と包装容器の構造を改良して石鹸の熟成を促進させ、石鹸の変質を防止して保存期間を延長可能とし、製品の品質を向上させる石鹸包装容器の製作方法と石鹸包装容器に関するものである。
【背景技術】
【０００２】
一般的に石鹸はある程度の水分を含有してあり、そのまま放置すると石鹸内部の水分が蒸発しながらその形状が変化したり、特に水分と接触する場合には石鹸成分が流失され商品としての価値が落ちることがあり、これを防止するため石鹸を成型した後はビニルラップのような包装材で石鹸の表面を巻いて包むことが通常の包装方法である。
【０００３】
しかしながら、高級なハンドメイドの美容石鹸の場合には、石鹸の成型の後すぐ使わず、一定の期間、熟成させる過程を通して石鹸の原材料の化学反応によって発生される有害な成分が自然揮発できるようにした後で使用するのが通例である。
【０００４】
例えば、シリア産オリーブ油で製作される美容石鹸の場合には、最低３年の熟成期間を経過した石鹸が高級製品として認められ、５年以上の熟成期間を通した製品の場合は最高級として認められる。
【０００５】
この通り、長期間の熟成過程で石鹸が変質せず、尚且つ、正しく熟成させれるためには、適切な空気の入れ替えと湿度の維持が必要であり、これで石鹸の品質が変わるようになる。
【０００６】
詳述した通り、ビニルラップ若しくはプラスチックケース等の包装材で石鹸を包装する場合は、熟成に必要な空気が完全に遮断され、また石鹸の熟成過程で発生される有害成分の揮発が遮断されて石鹸の質が低下される問題点がある。
【先行技術文献】
【特許文献】
【０００７】
【特許文献１】大韓民国特許登録第０１６９５６３号
【発明の概要】
【発明が解決しようとする課題】
【０００８】
本発明は、上述した通りの従来の問題を解決するために、石鹸の熟成過程で石鹸の化学反応によって発生される有害な物質が自然揮発されるようにし、包装容器に包装された石鹸が呼吸できるようにして石鹸の熟成を促進し、石鹸の変質を防止して保存期間を延長できるようにする石鹸包装容器の製作方法を提供することを目的とする。
【０００９】
本発明のもう一つの目的は、自然親和的な方法で石鹸を包装することで、産業廃棄物の発生を防止し、商品の品位をより向上させる石鹸包装容器を提供することにある。
【課題を解決するための手段】
【００１０】
上記の通りの目的を達成するための請求項１に記載された発明に係る石鹸包装容器の製作方法は、竹筒の上／下に隔壁が存在するように竹筒を截取する截取工程と；
【００１１】
上記截取工程によって得られた竹筒を洗浄する洗浄工程と；
【００１２】
洗浄された竹筒の隔壁に注入口を穿孔する注入口穿孔工程と；
【００１３】
注入口が穿孔された竹筒内にお湯１リットル当たり天日塩７００ｍｇを希釈した塩水を注入した上で蒸気で５０分間加熱して殺菌する殺菌工程と；
【００１４】
殺菌された竹筒を常温で三日から五日間乾燥する乾燥工程と；
【００１５】
乾燥された竹筒の外周縁上下に紐で結んで固定させる設置工程と；
【００１６】
乾燥された竹筒の注入口にフランジーを挿入設置させるフランジー設置工程と；
【００１７】
フランジーに蓋を挿入させて竹筒を閉塞させる蓋設置工程で行うことを特徴とするものである。
【００１８】
また、請求項２に記載された発明に係る石鹸包装容器は、上/下部に隔壁が存在するように竹筒の上部隔壁に注入口を形成させて、上記注入口の内周縁に注入口のクラックを防止するフランジーを挿入設置させ、
上記フランジーに蓋を設置して、竹筒の外周縁上下段部に補強用紐を回して設置して構成されることに特徴とするものである。
【発明の効果】
【００１９】
この通りに本発明による石鹸包装容器によると、石鹸の熟成過程から石鹸の化学反応によって発生される有害な物質が竹筒に存在する微細な気孔を通して、自然揮発され石鹸が呼吸するようになって、石鹸の熟成期間を大きく短縮できる効果がある。
【００２０】
また、熟成過程からの変質が防止され保存期間を延長させる効果も期待できる。
【００２１】
そして、自然親和的な材質で石鹸を包装することで、産業廃棄物の発生を防止し、商品の品位をより向上することができ、消費者から購買意欲を高めて商品の販賣高も向上できる効果がある。
【図面の簡単な説明】
【００２２】
【図１】本発明による石鹸包装容器の分離状態を示した斜視図である。
【図２】本発明による石鹸包装容器の分離状態を示した斷面図である。
【発明を実施するための形態】
【００２３】
以下本発明は添付された図面によって説明すると次の通りである。
【００２４】
添付された図面、図１と図２に示されている通り、本発明は竹筒の上／下部に隔壁が存在するように竹筒を截取する截取工程を行う。
【００２５】
截取工程で得た竹筒（１）の切断面は切断の時発生する鋸目の跡等が残らないように研磨作業等を施して滑らかな状態にする。
【００２６】
上記截取工程で得た竹筒（１）はきれいな水で洗浄する洗浄工程を行うが、竹筒の洗浄は竹筒の表面の汚れを取る程度とし、あまり長い時間に亘って竹筒を水に浸けておかない方が良い。
【００２７】
その理由は、必要以上の長い時間竹筒（１）を水に浸けておいた場合には、竹筒の繊維組織内に水分が浸透して、以後行う殺菌過程で塩分成分を持つ蒸気が竹筒の繊維組織内に浸透するのを妨害するからである。
【００２８】
洗浄された竹筒(１）の上部隔壁（１０）には竹筒の内部に液状の石鹸液（１００）が注入可能なように注入口（１２）穿孔工程を行う。
【００２９】
注入口（１２）が穿孔された竹筒（１）は水１リットルあたり天日塩７００ｍｇを希釈した塩水を注入した上で蒸気で５０分加熱して殺菌する殺菌工程を行う。
【００３０】
蒸気による殺菌過程で水１リットルあたり天日塩７００ｍｇを希釈する塩水を注入する理由は、１リットル当たり天日塩７００ｍｇを超えた場合に竹筒の繊維組織内に塩分が残って包装される石鹸に塩分を伝える問題があるからで、１リットルあたり天日塩７００ｍｇ未満の場合では、殺菌効果が落ちるからである。
【００３１】
殺菌された竹筒（１）は常温で３〜５日間乾燥工程をかけて、乾燥が完了した竹筒（１）の外周縁上下段部には紐（１５）を結んで固定させる紐設置工程をかける。
【００３２】
この紐（１５）は竹筒（１）の見た目を向上させる効果もあるが、長期間の保管時に竹筒が自然乾燥されながら割れることも防止する効果もある。
【００３３】
そして、乾燥された竹筒（１）の注入口（１２）に金属材質のフランジー（２）を挿入設置して蓋（３）の結合の時注入口（１２）の周縁部に発生するクラックを事前に防止する。
【００３４】
フランジー（２）の設置が完了できたらフランジー（２）に蓋（３）を挿入して竹筒（１）を閉塞させる蓋設置工程で石鹸包装容器の製作が完了できる。
【００３５】
上記と同じ方法で製作されてる本発明の石鹸包装容器は上／下部に隔壁（１０）が存在するように竹筒（１）の上部隔壁に注入口（１２）を形成して、上記注入口（１２）の内周縁に注入口（１２）を防止するフランジー（２）を挿入設置して、上記フランジー（２）に蓋（３）を設置して、竹筒（１）の外周縁上下段部に補強用紐を結んで設置して構成される。
【００３６】
この通りに構成される本発明は製作された液状の石鹸液（１００）を竹筒（１）の上部に形成された注入口（１２）を通して竹筒の内部に注入して、注入口（１２）を蓋（３）で閉塞させることで石鹸の包装作業が完了できる。
【符号の説明】
【００３７】
１．竹筒        ２．フランジー
３．蓋        １０．隔壁
１２．注入口    １５．紐
【図１】
2014054510.tif 000003
【図２】
2014054510.tif 000004